(57)【要約】【課題】  バックル本体の閉止状態すなわちベルトの先端側の任意の位置での係止状態を、その使用頻度に拘わらず長期間に亘って安定的に維持することができるベルト用バックルの提供を課題とする。【解決手段】  ベルトの先端側の挿入が可能な係止部材２２を具えたバックル本体２１は、バックル台座部４０に回動自在に軸支されている。ベルトの基端側を固定するための咬歯板３３を具えたベルト固定部Ｂと、バックル本体２１とバックル台座部４０とから構成されるベルト係止部Ｃとは連結部Ｄによって連結されている。バックル台座部４０の上面には、ベルトの先端部を係止するためのベルト係止突条５０が突設され、バックル台座部４０の側面には、係止部材２２を係止するための係止突条６０が突設されている。【選択図】  図１
0003210707.tif 000002
【実用新案登録請求の範囲】
【請求項１】
ベルトの基端側の上面を覆う上面板に連設された両側面板の間に配設された咬歯板によって当該ベルトの前記基端側に固定可能な断面「コ」の字状のベルト固定部と、前記ベルトの先端側を挟持して係止する略直方体のバックル台座部およびバックル本体からなるベルト係止部と、該ベルト係止部の前記バックル台座部と前記ベルト固定部とを連結する連結部とによって構成されるベルト用バックルであって、
前記バックル台座部の前記連結部とは反対側の端部には、前記バックル本体の基端側が揺動可能に軸支され、
前記バックル本体が対向可能な前記バックル台座部の上面には、下方向に移動可能となるように前記バックル台座部により弾性的に支持され且つその上部が凹凸形状に形成されているベルト係止突条が当該上部が当接する前記ベルトの幅方向に延在するように突設され、
前記バックル本体の先端側の下側には、前記ベルトの先端部が挿入可能である「コ」の字状の係止部材がその下端部が前記ベルトの幅方向に延在するように配設され、且つ、当該係止部材は前記バックル本体を前記バックル台座部の上面に対向させた状態において前記バックル台座部の前記連結部側の側面に近接するような位置に配設されており、
前記バックル台座部の前記連結部側の側面には、前記バックル本体の前記係止部材の下端部と係合可能な係止突条が前記下端部に沿って延在するように配設され、当該係止突条は、前記連結部とは反対側の方向に移動可能となるように前記バックル台座部によって弾性的に支持され、且つ、当該係止突条の上部側には前記バックル本体の前記係止部材の下端部が下方向に摺動可能となるように上部傾斜部が形成され、当該係止突条の下部側には前記バックル本体の前記係止部材の下端部が上方向に摺動可能となるように下部傾斜部が形成されていることを特徴とするベルト用バックル。
【請求項２】
前記ベルト固定部が前記バックル台座部に対して揺動可能となるように前記連結部には軸支部が配設されていることを特徴とする請求項１に記載のベルト用バックル。
【請求項３】
請求項１に記載のベルト用バックルが帯状のベルトの基端側に固定されていることを特徴とするベルト。
【考案の詳細な説明】
【技術分野】
【０００１】
本考案は、装身用の帯状のベルトに装着して使用するベルト用バックルに関するものである。
【背景技術】
【０００２】
装身用の帯状のベルトを身体に密着させた状態で、そのベルトの先端側を任意の位置で係止することができるベルト用バックルについては、既に提案がなされている（実公昭４３−９０５１号公報）。
【０００３】
このベルト用バックルは、図６に示したような構成となっている。
【０００４】
すなわち、このベルト用バックルは図６（ａ），（ｂ）に示したように、断面が略Ｚ字形の一連の台板Ａの一方側に、ベルトの基端側に固定されるベルト固定部Ｂが形成されており、他方側に、ベルトの先端側を任意の位置で係止するバックル本体１２を含むベルト係止部Ｃが形成されているものである。
【０００５】
ベルト固定部Ｂの両側壁１には、ベルトの基端側を固定するためのベルト咬歯３が形成されているベルト連結板４の耳５が挿入可能な孔２が形成されている。
【０００６】
以上のように構成されているベルト固定部Ｂによって、図７（ａ）に示すようにベルト２０の基端側は固定される。
【０００７】
また、図６（ａ），（ｂ）に示すように、バックル本体１２の両側壁１３は、軸１５によって、ベルト係止部Ｃを構成する台板Ａの両側壁６に回動自在に軸支されている。さらに、この軸１５によって歯８を有する歯台９も回動自在に軸支されている。歯台９は、スプリング１１によってその回動位置が弾性的に保持されるように構成されている。
【０００８】
バックル本体１２の両側壁の内側には、図７（ａ）に示すような留いぼ１７が突設されており、ベルト２０の先端側をバックル本体１２内に通した状態で、このバックル本体１２を図７（ｂ）に示したように閉じると、この留いぼ１７がベルト固定部Ｂの側壁６に形成されている留孔１６に嵌合する。このようにしてバックル本体１２は図７（ｂ）に示したような閉じた状態を、スプリング１１の弾性力に抗して保持することができる。
【０００９】
図７（ｂ）に示した状態の断面図を図８に示す。
【００１０】
バックル本体１２が閉じられて、留いぼ１７が留孔１６に嵌合している図８に示したような状態においては、ベルト係止部Ｃの歯台９の歯８がベルト２０の先端側の下側に圧接した状態となっており、ベルト２０の先端側は歯台９の歯８とバックル本体１２とによって弾性的に挟持された状態となる。このベルト用バックルは、このベルト２０の先端側を係止した状態を保持する。
【００１１】
以上のようにして、このベルト用バックルを使用することにより、使用者はベルトの先端側を任意の位置でベルト用バックルに係止させることができる。
【先行技術文献】
【特許文献】
【００１２】
【特許文献１】実公昭４３−９０５１号公報
【考案の概要】
【考案が解決しようとする課題】
【００１３】
以上説明したように、従来のベルト用バックルにおいては、バックル本体１２の留いぼ１７をベルト固定部Ｂの側壁１の留孔１６に嵌合させることによってバックル本体１２を係止する構成となっている。
【００１４】
従って、従来のベルト用バックルにおいては、長期間に亘って使用した場合には、側壁１上を摺動しながら留孔１６まで移動する留いぼ１７の先端部が摩滅してしまい、留いぼ１７と留孔１６との係合力が低下する。
【００１５】
留いぼ１７と留孔１６との係合力が低下した状態においては、何らかの原因で、例えばバックルにカバン等の物が当たるなどの原因でバックル本体１２に衝撃力が加わった場合やベルト２０の先端部に力が加わった場合には、留いぼ１７と留孔１６との嵌合状態が解除されてしまい、図８の２点鎖線で示したようにバックル本体１２が開いてしまうという虞があった。バックル本体１２が開くと、ベルト係止部Ｃによるベルト２０に対する係止力が解除されてしまい、ベルト２０は自然に弛んでしまうことになる。
【００１６】
このように従来のベルト用バックルにおいては、長期間に亘って使用した場合、または短期間でも頻繁に使用した場合、バックル本体が開き易くなってしまいベルトが自然に弛み易くなってしまうという問題点があった。
【課題を解決するための手段】
【００１７】
以上の問題点を解消するために、本考案の第１の手段は、ベルトの基端側の上面を覆う上面板に連設された両側面板の間に配設された咬歯板によって当該ベルトの前記基端側に固定可能な断面「コ」の字状のベルト固定部と、前記ベルトの先端側を挟持して係止する略直方体のバックル台座部およびバックル本体からなるベルト係止部と、該ベルト係止部の前記バックル台座部と前記ベルト固定部とを連結する連結部とによって構成されるベルト用バックルであって、前記バックル台座部の前記連結部とは反対側の端部には、前記バックル本体の基端側が揺動可能に軸支され、前記バックル本体が対向可能な前記バックル台座部の上面には、下方向に移動可能となるように前記バックル台座部により弾性的に支持され且つその上部が凹凸形状に形成されているベルト係止突条が当該上部が当接する前記ベルトの幅方向に延在するように突設され、前記バックル本体の先端側の下側には、前記ベルトの先端部が挿入可能である「コ」の字状の係止部材がその下端部が前記ベルトの幅方向に延在するように配設され、且つ、当該係止部材は前記バックル本体を前記バックル台座部の上面に対向させた状態において前記バックル台座部の前記連結部側の側面に近接するような位置に配設されており、前記バックル台座部の前記連結部側の側面には、前記バックル本体の前記係止部材の下端部と係合可能な係止突条が前記下端部に沿って延在するように配設され、当該係止突条は、前記連結部とは反対側の方向に移動可能となるように前記バックル台座部によって弾性的に支持され、且つ、当該係止突条の上部側には前記バックル本体の前記係止部材の下端部が下方向に摺動可能となるように上部傾斜部が形成され、当該係止突条の下部側には前記バックル本体の前記係止部材の下端部が上方向に摺動可能となるように下部傾斜部が形成されていることを特徴とするものである。ここで、前記ベルト固定部が前記バックル台座部に対して揺動可能となるように前記連結部には軸支部が配設されていてもよい。
【００１８】
また、本考案の第２の手段は、上述した特徴を有するベルト用バックルが、帯状のベルトの基端側に固定されているベルトであることを特徴とするものである。
【考案の効果】
【００１９】
本考案によれば、バックル本体の閉止状態すなわちベルトの先端側の任意の位置での係止状態を、その使用頻度に拘わらず長期間に亘って安定的に維持することができるベルト用バックルを提供することができる。
【図面の簡単な説明】
【００２０】
【図１】本考案の実施例１の構成を示す斜視図である。
【図２】本考案の実施例１の構成を示す分解斜視図である。
【図３】本考案の実施例１の構成を示す断面図である。
【図４】本考案の実施例１の構成の説明図である。
【図５】本考案の実施例１の使用方法の説明図である。
【図６】従来のベルト用バックルの構成を示す構成図である。
【図７】従来のベルト用バックルの構成の説明図である。
【図８】従来のベルト用バックルの動作の説明図である。
【考案を実施するための形態】
【００２１】
以下、図面を用いて本考案の実施例を説明する。
【実施例１】
【００２２】
図１は、本考案の実施例１の外観構成を示す斜視図であり、図２はその分解斜視図、図３は本実施例１の内部構成を示す断面図である。
【００２３】
図１に示したように、本実施例１は、バックル本体２１の基端側が回動自在に軸支されているベルト係止部Ｃと、ベルトの基端側に固定可能なベルト固定部Ｂと、ベルト係止部Ｃとベルト固定部Ｂとを連結する連結部Ｄとによって構成されている。
【００２４】
連結部Ｄの中央部には、軸３０によってその両側が軸支される軸支部が形成されており、この軸支部によりベルト固定部Ｂはベルト係止部Ｃに対して揺動可能な状態となっている。
【００２５】
ベルト固定部Ｂは、断面が「コ」の字状となるような上面板３１および両側面板３２によって構成されている。両側面板３２の間には、上面板３１と協働してベルト基端側を固定する咬歯３３ａを有する咬歯板３３が軸３４によって揺動可能な状態で配設されている。
【００２６】
ベルト係止部Ｃは、略直方体のバックル台座部４０と、軸２３によって軸支されているバックル本体２１とによって構成されている。バックル台座部４０の上面には、ベルト係止突条５０が突設されており、バックル台座部４０の連結部Ｄ側の側面には、バックル本体２１の先端側に配設されているベルトの挿入が可能な「コ」の字状の係止部材２２と係合可能な係止突条６０が突設されている。ここで、バックル本体２１の係止部材２２は、バックル本体２１を閉じた状態で、バックル台座部４０の係止突条６０が有る側面に近接するような位置に予め配設されている。
【００２７】
本実施例１のベルト固定部Ｂの構成については、先に説明した従来のベルト用バックルのベルト固定部の構成と略同様の構成であるのでその説明は省略する。
【００２８】
以下、本実施例１のベルト係止部Ｃの構成について詳しく説明する。
【００２９】
図２に示したようにベルト係止突条５０は支持部材５０ａ上に形成されており、その上部は凹凸形状（図２では波形）に加工されている。５１は、支持部材５０ａとバックル台座部４０との間に介装されるコイルバネ、５２は、ベルト係止突条５０の上方向への移動を規制するビスであり支持部材５０ａに螺合する。
【００３０】
このように、ベルト係止突条５０は、ベルトの幅方向に延在するようにバックル台座部４０の上面に突設されるものであり、図３に示したように、下方向への移動が可能な状態でバックル台座部４０によって弾性的に支持されている。
【００３１】
また、図２に示したようにバックル台座部４０の側面に突設され、バックル本体２１の係止部材２２の下端部と係合する係止突条６０の後ろ側には、その支持部材６０ａが配設されている。６１は、支持部材６０ａとバックル台座部４０との間に介装されるコイルバネであり、６２は、支持部材６０ａの長穴部６０ｂに挿入されるビスで、係止突条６０の前後方向の移動距離を規制するものである。
【００３２】
このように、係止突条６０は、バックル台座部４０の側面に突設されるものであり、図３に示したように、後ろ方向への移動が可能な状態でバックル台座部４０によって弾性的に支持されている。なお、係止突条６０の下側に配設されている規制板６３は、バックル本体２１の係止部材２２の下方向への移動を規制するものである。
【００３３】
ここで、図４（ａ）〜（ｃ）に示したように、本実施例１の係止突条６０の上部側には、バックル本体の係止部材２２の下端部が、摺動しながら下方向への移動が可能となるように上部傾斜部７１が形成されている。また、図４（ｃ）に示した状態から、バックル本体の係止部材２２の下端部が係止突条６０上を摺動しながら上方向への移動が可能となるように、係止突条６０の下部側には下部傾斜部７２が形成されている。
【００３４】
このように本実施例１においては、使用者がベルトの先端側をバックル本体の係止部材２２に通してバックル本体を閉じると、図４（ａ）〜（ｃ）に示したように、係止部材２２の下端部が係止突条６０の上部傾斜部７１に沿って下方向に移動するとともに、係止突条６０はコイルバネ６１の弾性力に抗して後方へ移動する。そして、係止部材２２はさらに下方向に移動して、規制板６３に当接して停止する。この係止部材２２が規制板６３に当接している図４（ｃ）に示した状態が、係止部材２２の係止状態となる。
【００３５】
図４（ｃ）に示した係止部材２２の係止状態においては、係止部材２２の上方向への移動は係止突条６０によって規制されるため、係止部材２２に上方向への力を故意に加えない限りは、係止部材２２の係止状態は維持される。
【００３６】
この係止部材２２の係止状態である図４（ｃ）に示した状態で、使用者がバックル本体を開く方向に力を加えると、係止部材２２は係止突条６０の下部傾斜部７２に沿って、図４（ｂ）に示したように上方向に移動するとともに、係止突条６０はコイルバネ６１の弾性力に抗して後方へ移動する。そして、係止部材２２はさらに上方向に移動して、図４（ａ）に示した状態となって、係止部材２２の係止状態は解除される。
【００３７】
以上のように図４（ａ）〜（ｃ）に示した過程において、係止部材２２が上下に移動するときには、係止突条６０が後方に移動するので、係止部材２２や係止突条６０には無理な力が加わらず、この過程における係止部材２２や係止突条６０の摩滅は著しく少ない。従って、係止突条６０によつ係止部材２２に対する係止力は長期間に亘って保持される。
【００３８】
以上のように構成された本実施例１を使用する場合には、使用者はベルトを装着して、その先端側を図５（ａ）に示したようにバックル本体２１の係止部材２２に通してから、図５（ｂ）に示したようにバックル本体２１を閉めることによりベルト２０の任意の位置にバックル本体２１を係止させることができる。
【００３９】
図５（ｂ）に示した状態においては、バックル本体２１の係止部材２２は係止突条６０によって係止されているのでバックル本体２１は、この状態を維持する。この状態のとき、ベルト２０の先端側は、バックル本体２１とベルト係止突条５０とによって弾性的に挟持された状態となっているので、ベルト２０が自然に弛むことはない。
【００４０】
使用者がベルト２０を外す場合には、図５（ｂ）に示した状態で使用者がバックル本体２１を開く方向に力を加えれば、図５（ａ）の状態となってバックル本体２１からベルト２０を引き抜くことができる。
【符号の説明】
【００４１】
２０  ベルト
２１  バックル本体
２２  係止部材
２３，３０，３４  軸
３１  上面板
３２  側面板
３３  咬歯板
３３ａ  咬歯
４０  バックル台座部
５０  ベルト係止突条
５０ａ，６０ａ  支持部材
５１，６１  コイルバネ
５２，６２  ビス
６０  係止突条
６０ｂ  長穴部
Ｂ  ベルト固定部
Ｃ  ベルト係止部
Ｄ  連結部
【図１】
0003210707.tif 000003
【図２】
0003210707.tif 000004
【図３】
0003210707.tif 000005
【図４】
0003210707.tif 000006
【図５】
0003210707.tif 000007
【図６】
0003210707.tif 000008
【図７】
0003210707.tif 000009
【図８】
0003210707.tif 000010